(57)【要約】【課題】保管可能な傘の本数を制限することによって、個々の傘を判別容易にすると共に、傘の破損を防止するようにした傘掛け及び傘立てを提供する。【解決手段】傘掛け１０は、ロッド１１が取付部１２，１２を介して壁面に取り付けられている。ロッド上に所定間隔で配されたブラケット１３は、傘１を掛止する鞍部１４、ロッドを掴持するクリップ１５、及び傘１が掛止されているか否かを報知する報知部１６を有している。そして、傘をブラケットの鞍部に掛止したとき、報知部は、傘が掛止されたことを検知して、音又は光によって報知するように形成されている。ロッド上にブラケットを配することにより、傘の保管可能本数を制限すると共に掛止された傘は互いに離間するので破損を防止することができる。また、報知部によって個々の傘を判別容易にすることができる。【選択図】図１
2014076225.tif 000002
【特許請求の範囲】
【請求項１】
横方向に伸びる一本のロッドと、当該ロッドの左右両端に配された一対の取付部とからなり、
当該取付部を介して壁面に取り付けられた前記ロッドに、傘の柄を掛けるようにした傘掛けであって、
前記ロッド上に所定の間隔で配される複数個のブラケットを設け、
当該ブラケットは、前記傘の柄を掛止可能な鞍部と、当該鞍部上に前記傘の柄が掛止されていることを報知する報知部とを有し、
当該報知部は、前記鞍部と前記傘の柄が接触したことを検知する検知手段を有し、
当該検知手段が、前記鞍部に前記傘の柄が接触したことを検知したとき、
前記報知部は、前記鞍部上に前記傘の柄が掛止されていることを報知して、
前記ブラケットが使用されていることを示すようにしたことを特徴とする傘掛け。
【請求項２】
前記検知手段は、前記傘の柄によって前記鞍部に加えられる圧力を検知する感圧センサを備えることを特徴とする請求項１に記載の傘掛け。
【請求項３】
矩形状の平板に複数個の傘挿入口を形成した傘保持板と、当該傘保持板を支持する支柱と、当該支柱の基部に配されて前記傘保持板と対向するトレイとからなり、
傘を前記傘挿入口へ挿入して立設保持すると共に、当該傘から滴る雨水を前記トレイが受けるようにした傘立てであって、
前記傘挿入口近傍に、当該傘挿入口に前記傘が挿入されていることを報知する報知部を設け、
当該報知部は、傘が挿入されたことを検知する検知手段を設け、
当該検知手段が、前記傘挿入口に前記傘が挿入されたことを検知したとき、
前記報知部は、前記傘挿入口に前記傘が挿入されていることを報知して、
前記傘挿入口が使用されていることを示すようにしたことを特徴とする傘立て。
【請求項４】
前記検知手段は、前記傘によって前記トレイに加えられる圧力を検知する感圧センサを備えることを特徴とする請求項３に記載の傘立て。
【請求項５】
前記検知手段は、前記傘の石突、傘骨のような前記傘の所定の金属部が前記傘挿入口へ挿入されたことを検知する金属センサ、或いは、前記傘の傘布が前記傘挿入口の開口端縁部に接触したことを検知する近接センサを備えることを特徴とする請求項３に記載の傘立て。
【請求項６】
前記報知部は、所定のメッセージ、メロディ、又は警報音といった所定の音声を再生する音声制御手段を有することを特徴とする請求項１に記載の傘掛け若しくは請求項３に記載の傘立て。
【請求項７】
前記報知部は、所定の発光パターン又は所定の発光色によって発光する発光手段を有することを特徴とする請求項１に記載の傘掛け若しくは請求項３に記載の傘立て。
【発明の詳細な説明】
【技術分野】
【０００１】
本発明は、傘掛け及び傘立てに関する。
【背景技術】
【０００２】
特開２００９−０４５３３０号公報に開示されているエントランスユニットには、傘掛けとして玄関近傍の壁面にコの字状に曲折形成したパイプが取り付けられている。
また、特開２０１０−０２２４８１号公報に開示されている傘立ては、傘挿入開口を備えた傘保持板を支柱で支持している。
【先行技術文献】
【特許文献】
【０００３】
【特許文献１】特開２００９−０４５３３０号公報
【特許文献２】特開２０１０−０２２４８１号公報
【発明の概要】
【発明が解決しようとする課題】
【０００４】
上記の傘掛け及び傘立ては、複数の傘を保管することができる。しかしながら、保管する傘の本数が増えると、傘掛けにおいては傘の柄が乱雑に積み重ねられ、傘立てにおいては一つの傘挿入開口に複数の傘が無理矢理挿入されることがある。これにより、乱雑に保管されている複数の傘から自分の傘を見つけ出すことが難しくなるおそれがある。
また、上記の傘掛けは、複数の傘の柄が重なり合うように傘を掛けると、当該傘の柄が互いに押し合うことになり、傘の柄がパイプから外れ、脱落した傘が破損するおそれがある。
また、上記の傘立ては、傘挿入開口と先に挿入された傘との隙間に、後から複数の傘が差し込まれることによって後から挿入した傘の石突が先に挿入した傘の傘布を破いてしまうおそれがある。
【０００５】
そこで、本発明が解決しようとする課題は、保管可能な傘の本数を制限することによって、個々の傘を判別容易にすると共に、傘の破損を防止するようにした傘掛け及び傘立てを提供することである。
【課題を解決するための手段】
【０００６】
請求項１に記載の傘掛けは、横方向に伸びる一本のロッドと、当該ロッドの左右両端に配された一対の取付部とからなり、
当該取付部を介して壁面に取り付けられた前記ロッドに、傘の柄を掛けるようにした傘掛けであって、
前記ロッド上に所定の間隔で配される複数個のブラケットを設け、
当該ブラケットは、前記傘の柄を掛止可能な鞍部と、当該鞍部上に前記傘の柄が掛止されていることを報知する報知部とを有し、
当該報知部は、前記鞍部と前記傘の柄が接触したことを検知する検知手段を有し、
当該検知手段が、前記鞍部に前記傘の柄が接触したことを検知したとき、
前記報知部は、前記鞍部上に前記傘の柄が掛止されていることを報知して、
前記ブラケットが使用されていることを示すようにしたことを特徴とする傘掛け。
【０００７】
請求項２に記載の傘掛けは、請求項１に記載の発明において、前記検知手段は、前記傘の柄によって前記鞍部に加えられる圧力を検知する感圧センサを備えることを特徴とする。
【０００８】
請求項３に記載の傘立ては、矩形状の平板に複数個の傘挿入口を形成した傘保持板と、当該傘保持板を支持する支柱と、当該支柱の基部に配されて前記傘保持板と対向するトレイとからなり、
傘を前記傘挿入口へ挿入して立設保持すると共に、当該傘から滴る雨水を前記トレイが受けるようにした傘立てであって、
前記傘挿入口近傍に、当該傘挿入口に前記傘が挿入されていることを報知する報知部を設け、
当該報知部は、傘が挿入されたことを検知する検知手段を設け、
当該検知手段が、前記傘挿入口に前記傘が挿入されたことを検知したとき、
前記報知部は、前記傘挿入口に前記傘が挿入されていることを報知して、
前記傘挿入口が使用されていることを示すようにしたことを特徴とする。
【０００９】
請求項４に記載の傘立ては、請求項３に記載の発明において、前記検知手段は、前記傘によって前記トレイに加えられる圧力を検知する感圧センサを備えることを特徴とする。
【００１０】
請求項５に記載の傘立ては、請求項３に記載の発明において、前記検知手段は、前記傘の石突、傘骨のような前記傘の所定の金属部が前記傘挿入口へ挿入されたことを検知する金属センサ、或いは、前記傘の傘布が前記傘挿入口の開口端縁部に接触したことを検知する近接センサを備えることを特徴とする。
【００１１】
請求項６に記載の発明は、請求項１に記載の傘掛け若しくは請求項３に記載の傘立てにおいて、前記報知部は、所定のメッセージ、メロディ、又は警報音といった所定の音声を再生する音声制御手段を有することを特徴とする。
【００１２】
請求項７に記載の発明は、請求項１に記載の傘掛け若しくは請求項３に記載の傘立てにおいて、前記報知部は、所定の発光パターン又は所定の発光色によって発光する発光手段を有することを特徴とする。
【発明の効果】
【００１３】
請求項１に記載の傘掛けによれば、ロッド上に所定の間隔で複数個配され、傘の柄が掛止する鞍部を有するブラケットを設けた。
ここで、鞍部と傘とが一対一で対応するようにした場合、ロッド上で保管することの出来る傘の本数を制限することができる。また、ブラケットをロッド上に所定の間隔で配置するようにした。これによって、ロッドに掛けられている傘同士が互いに接触することを防ぐことができるので、傘の破損を防止することができる。
そして、報知部が有する検知手段が、鞍部に傘の柄が接触したことを検知したとき、該報知部は、鞍部上に傘の柄が掛止されていることを報知して、ブラケットが使用されていることを示すようにした。
これにより、ユーザーは、ブラケットの報知部から発せられ、当該ブラケットが使用中であることを示す、例えば音や光によるサインを容易に記憶することができる。そのため、当該ユーザーは、ロッドに掛けられている複数の傘の中から自己の傘を容易に判別することができる。
【００１４】
請求項２に記載の傘掛けによれば、報知部に設けた検知手段は、傘の柄によって鞍部に加えられる圧力を検知する感圧センサを備えるようにした。
これによって、鞍部に傘の柄が接触して、当該鞍部に圧力が加わったとき、報知部はブラケットが使用中であることを報知することができる。
また、例えば、鞍部に２本以上の傘が掛けられたとき、感圧センサが異常圧を検知するように設定した場合、報知部は、ブラケットに複数本の傘が掛けられたことを警告することができる。これにより、ロッド上に掛けられる傘の本数を制限することができる。
さらに、掛けられる傘の軽重によって異なる圧力が鞍部に加えられたとき、当該圧力の大きさにしたがって報知するときのサインを変えるようにした場合、ユーザーは、ロッドに掛けられている複数の傘の中から自己の傘を容易に判別することができる。
【００１５】
請求項３に記載の傘立てによれば、矩形状の平板に複数個の傘挿入口を形成した傘保持板を設けた。
ここで、傘挿入口と傘とが一対一で対応するようにした場合、傘保持板内で保管することの出来る傘の本数を制限することができる。また、傘保持板内を区画形成した。これによって、傘保持板内の傘同士が互いに接触することを防ぐことができるので、傘の破損を防止することができる。
さらに、傘挿入口近傍に設けた、傘が挿入されていることを報知する報知部は、検知手段が傘挿入口に傘が挿入されたことを検知したとき、傘挿入口が使用されていることを示すようにした。
これによって、ユーザーは、傘挿入口近傍の報知部から発せられ、当該傘挿入口が使用中であることを示す、例えば音や光によるサインを容易に記憶することができる。そのため、当該ユーザーは、傘保持板内に保管されている複数の傘の中から自己の傘を容易に判別することができる。
【００１６】
請求項４に記載の傘立てによれば、報知部に設けた検知手段は、傘によってトレイに加えられる圧力を検知する感圧センサを備えるようにした。
これによって、トレイに傘の先端部が接触して、当該トレイに圧力が加わったとき、報知部は傘挿入口が使用中であることを報知することができる。
また、例えば、一の傘挿入口に対向するトレイの所定エリア内に２本以上の傘の先端部を検知したとき、感圧センサが異常圧を検知するように設定した場合、報知部は傘挿入口に複数本の傘が差し込まれたことを警告することができる。これにより、傘保持板内で保管する傘の本数を制限することができ、傘挿入口に無理やり傘が差し込まれることによって傘同士が互いに破損することを防止することができる。
さらに、傘挿入口に挿入される傘の軽重によって異なる圧力がトレイに加えられたとき、当該圧力の大きさにしたがって報知するときのサインを変えるようにした場合、ユーザーは、傘保持板内に保管されている複数の傘の中から自己の傘を容易に判別することができる。
【００１７】
請求項５に記載の傘立てによれば、報知部に設けた検知手段は、傘の石突、傘骨といった傘の所定の金属部が傘挿入口へ挿入されたことを検知する金属センサ、或いは傘の傘布が傘挿入口の開口端縁部に接触したことを検知する近接センサを備えるようにした。
これによって、傘の金属部が傘挿入口へ挿入されたとき、或いは傘布が傘挿入口の開口端縁部に接触したとき、報知部は傘挿入口が使用中であることを報知することができる。
また、傘挿入口に２本以上の傘が差し込まれたとき、近接センサが異常を検知するように設定した場合、報知部は傘挿入口に複数本の傘が差し込まれたことを警告することができる。これにより、傘保持板内で保管する傘の本数を制限することができ、傘挿入口に傘が無理矢理差し込まれることによって傘同士が互いに破損することを防止することができる。
さらに、傘挿入口に挿入される傘の径によって近接センサとの距離が相違するとき、当該距離の相違にしたがって報知するときのサインを変えるようにした場合、ユーザーは、傘保持板内に保管されている複数の傘の中から自己の傘を容易に判別することができる。
【００１８】
請求項６に記載の傘掛け又は傘立てによれば、報知部は、所定のメッセージ、メロディ、又は警報音といった所定の音声を再生する音声制御手段を有するようにした。
これにより、ユーザーは使用中のブラケット又は傘挿入口を音によって容易に判別することができ、当該ユーザーの傘を空いているブラケット又は傘挿入口へ誘導すると共に、ブラケット又は傘挿入口に空きがない場合にはユーザーに当該ブラケット又は傘挿入口の使用を差し控えるように促すことができる。そのため、傘掛け又は傘立てに保管する傘の本数を制限することができる。
また、ユーザーは、ブラケット又は傘保持板内に保管されている複数の傘のうち、自分の傘の位置を容易に記憶することができ、さらには当該複数の傘の中から自己の傘を容易に判別することができる。
【００１９】
請求項７に記載の傘掛け又は傘立てによれば、報知部は、所定の発光パターン又は所定の発光色によって発光する発光手段を有するようにした。
これにより、ユーザーは使用中のブラケット又は傘挿入口を光によって容易に判別することができ、当該ユーザーの傘を空いているブラケット又は傘挿入口へ誘導すると共に、ブラケット又は傘挿入口に空きがない場合にはユーザーに当該ブラケット又は傘挿入口の使用を差し控えるように促すことができる。そのため、傘掛け又は傘立てに保管する傘の本数を制限することができる。
また、ユーザーは、ブラケット又は傘保持板内に保管されている複数の傘のうち、自分の傘の位置を容易に記憶することができ、さらには当該複数の傘の中から自己の傘を容易に判別することができる。
【図面の簡単な説明】
【００２０】
【図１】第１実施例に係る傘掛けを示す斜視図である。
【図２】第１実施例に係る傘掛けのブラケットを示す斜視図である。
【図３】第２実施例に係る傘掛けのブラケットを示す斜視図である。
【図４】第３実施例に係る傘立てを示す斜視図である。
【図５】第３実施例に係る傘立ての傘挿入口を示す部分拡大図である。
【図６】第４実施例に係る傘立ての傘挿入口を示す部分拡大図である。
【図７】第５実施例に係る傘立てを示す斜視図である。
【実施例１】
【００２１】
本発明の傘掛けに係る実施例を添付した図面にしたがって説明する。図１は、本実施例に係る傘掛けを示す斜視図であって、図２は、本実施例に係る傘掛けのブラケット部を拡大した拡大図である。
【００２２】
傘掛け１０は、ロッド１１と、一対の取付部１２，１２と、ロッド１１上に所定の間隔で複数個配されているブラケット１３とからなる。
ロッド１１は、コの字状の金属製或いは合成樹脂製のパイプからなり、取付部１２，１２を介して壁面に取り付けられるように形成されている。本実施例に係るロッド１１及び取付部１２，１２は、別体に構成されているが、一体に形成するようにしても良い。また、市販されているタオル掛けを利用しても良い。
また、本実施例において例示される傘１は、Ｊ字状に折曲された傘の柄２を有する。
【００２３】
ブラケット１３は、傘の柄が掛止される鞍部１４と、ロッド上に固定するためのクリップ１５とからなる。
本実施例に係るブラケット１３は、熱可塑性の合成樹脂材によって一体成型されている。
なお、これに限定するものではなく、たとえば、金属製の板バネをクリップ１５とし、当該クリップ１５に鞍部１４を備えたゴム製又は合成樹脂製のカバーを被覆して形成しても良い。
鞍部１４の近傍には報知部１６が形成されている。報知部１６は、所定のメロディ、フレーズ、警報音等の音声が出力されるスピーカからなり、当該スピーカは再生する音声を制御する音声制御手段（図示略）に接続されている。報知部１６が有するセレクタスイッチ１６ａは、音声制御手段が有する記録媒体（図示略）に録音されている複数の音声のうち、一の音声を選択することができる。
鞍部１４の裏面にはセンサ１７が配されている。センサ１７は感圧センサであって、傘１の重さによる鞍部１４にかかる圧力、又は傘の柄２が掛けられたことによる鞍部１４の歪みを検知するように形成されている。
センサ１７は、傘１が鞍部１４に掛けられたとき、検知信号を音声制御手段へ送信し、傘１が鞍部１４から外されたとき、検知否信号を音声制御手段へ送信するように形成されている。音声制御手段は、受信した検知信号又は検知否信号に基づいて、スピーカで所定の音声を再生することを制御するように形成されている。
さらに、センサ１７は、閾値として設定した所定の重さを超えた重さを検知したとき、或いはセンサ１７の検知エリアで２か所以上の歪みを検知したとき、警報検知信号を音声制御手段へ送信するように形成しても良い。これによって、ブラケット１３に複数の傘が掛けられたことについて警告することができる。そのため、傘掛け１０に所定数以上の傘が掛けられることを制限することができる。そして保管する傘１の本数を制限することによって、傘同士が互いに接触して傷がついたり、またブラケット１３から押し出された傘１が落下したりすることを防止することができる。
【００２４】
上記のように構成される傘掛け１０は、以下に示すように使用される。添付した図にしたがって説明する。
傘掛け１０は、取付部１２，１２が壁面又はこれに類する垂直面に、木ネジ或いはボルトとナットを用いて取り付けられる。これにより、まずロッド１１が壁面に取り付けられる。
ロッド１１上に、複数のブラケット１３が所定間隔で取り付けられる。このとき、ブラケット１３の鞍部１４は上方を指向するように取り付けられる。
また、本実施例において、クリップ１５がロッド１１を掴持するようにしたが、これに限定されるものではなく、ロッド１１に被せられたクリップ１５部分をイモネジ等で固定するようにしても良い。
上記のように、ロッド１１上に複数のブラケット１３を配することによって、視覚的にブラケット１３の数以上の傘１を掛けることを抑止することができる。そのため、所定の間隔を空けてロッド１１に傘を掛けて保管することができるので、傘１が傷まないようにすることができる。
【００２５】
ブラケット１３に傘１を掛けたとき、センサ１７は傘１が鞍部１４に掛けられたことを検知して、検知信号を音声制御手段に送信する。検知信号を受信した音声制御手段は、当該検知信号に対応する音声信号を報知部１６へ送信する。音声信号を受信した報知部１６は、当該音声信号に基づく音声をスピーカから出力する。これにより、ブラケット１３に傘１が掛けられていることを報知することができる。そして、ブラケット１３が使用中であることが報知されることによって、当該ブラケット１３に複数の傘１が掛けられることを防止することができるので、傘１が汚損することを防止することができる。
【００２６】
また、ブラケット１３から傘１を外したとき、センサ１７は傘１が鞍部１４から外されたことを検知して、検知否信号を音声制御手段に送信する。検知否信号を受信した音声制御手段は、報知部１６へ送信している音声信号の出力を停止したり、或いは、検知否信号に対応する音声信号を報知部１６へ送信したりする。報知部１６は、受信する音声信号が停止した場合には、音声の出力を停止し、検知否信号に対応する音声信号を受信した場合には、ブラケット１３に傘１が掛けられていないことを報知する音声を出力する。これにより、ブラケット１３が空いていることを報知することができる。
また、傘１がブラケット１３に掛けられているときと外されているときで、スピーカから発せられる音声が異なるようにした場合、傘１が掛けられたときに変化する音声をもって、ブラケット１３へ確実に傘が掛けられたことを容易に知ることができる。
【００２７】
本実施例に記載の傘掛け１０によれば、ロッド１１に取り付けるブラケット１３を様々な模様・色彩で製造することにより、ロッド１１を飾り付けることができる。また、傘１をブラケット１３に掛けたり、外したりする度にスピーカからメッセージ・音楽が再生されるようにした。これにより、傘１を傘掛け１０に積極的に掛けるように促し、また、掛けたときに流れる音楽によって、自分の傘の場所を覚えやすくすることが期待できる。さらには、雨天時に沈みがちな気分をスピーカから流れる音声によって楽しい気分にすることが期待できる。
【実施例２】
【００２８】
次に、本発明の傘掛けに係る他の実施例を添付した図面にしたがって説明する。図３は、本実施例に係る傘掛けを示す斜視図である。
【００２９】
第２実施例に係る傘掛け１０Ａは、第１実施例に係る傘掛け１０と報知部１６Ａの構成が相違する。その他の構成は第１実施例の傘掛け１０と同様であるから説明を省略する。
【００３０】
鞍部１４の近傍に形成されている報知部１６Ａは、所定の発光パターン或いは所定の発光色で発光するＬＥＤからなり、当該ＬＥＤは、当該ＬＥＤの発光を制御する発光制御手段（図示略）に接続されている。報知部１６Ａが有するセレクタスイッチ１６ａは、発光制御手段が有する記録媒体（図示略）に記録されている複数の発光パターン或いは発光色のうち、一の発光パターン或いは発光色を選択することができるように形成されている。
【００３１】
鞍部１４の裏面に配されているセンサ１７は、第１実施例と同様に、感圧センサであって、傘１の重さによる鞍部１４にかかる圧力、又は傘の柄２が掛けられたことによる鞍部１４の歪みを検知するように形成されている。
センサ１７は、傘１が鞍部１４に掛けられたとき、検知信号を発光制御手段へ送信し、傘１が鞍部１４から外されたとき、検知否信号を発光制御手段へ送信するように形成されている。発光制御手段は、受信した検知信号又は検知否信号に基づいて、ＬＥＤを所定パターン或いは所定の発光色で発光させるように制御するように形成されている。
さらに、センサ１７は、閾値として設定した所定の重さを超えた重さを検知したとき、或いはセンサ１７の検知エリアで２か所以上の歪みを検知したとき、警報検知信号を発光制御手段へ送信するように形成しても良い。これによって、ブラケット１３に複数の傘が掛けられたことについて警告することができる。そのため、傘掛け１０に所定数以上の傘が掛けられることを制限することができる。そして保管する傘１の本数を制限することによって、傘同士が互いに接触して傷がついたり、またブラケット１３から押し出された傘１が落下したりすることを防止することができる。
【００３２】
上記のように構成される傘掛け１０Ａは、第１実施例と同様に使用されるので、説明を省略する。
ただし、ブラケット１３に傘１を掛けたとき、或いはブラケット１３から傘１を外したとき、報知部１６が有するＬＥＤが発光する点が第１実施例と相違する。
ここで、センサ１７から送信される検知信号又は検知否信号によって、当該両信号を受信する発光制御手段が、受信した信号に合わせて発光パターン又は発光色を変更するようにＬＥＤを制御した場合、
【００３３】
本実施例に記載の傘掛け１０Ａによれば、傘１がブラケット１３に掛けられていること、或いは傘１がブラケット１３から外されていることをＬＥＤを発光させて報知するようにした。
これにより、設置環境として音声を鳴らすことができない場所であっても傘掛け１０Ａを設置することができる。また、ＬＥＤが様々な発光パターン又は発光色で発光するので、傘掛け１０Ａの場所を目立たせることができる。これにより、マンション等で建物内が暗いとき、特に雨天時の昼間であって照明が点灯しない時間帯であっても、傘掛け１０Ａの場所が一目で分かるように目立たせることができ、従来の照明を補う補助灯にすることができる。さらに、雨天時に沈みがちな気分をＬＥＤの発光によって楽しい気分にすることが期待できる。
【実施例３】
【００３４】
次に、本発明の傘立てに係る実施例を添付した図面にしたがって説明する。図４は本実施例に係る傘立てを示す斜視図である。図５は本実施例に係る傘立ての傘挿入口の近傍を拡大した部分拡大図である。
【００３５】
傘立て２０は、傘保持板２１と、支柱２２と、トレイ２３とからなる。
傘保持板２１は、矩形状の平板からなり、複数個の傘挿入口２４が形成されている。当該傘挿入口２４は、傘保持板２１上で所定の間隔で縦横に整列して形成されている。これにより、傘１を傘挿入口２４に挿入したとき、隣り合う傘１同士は互いに接触しないので、傘１の破損を防止することができる。また、傘保持板２１の側面には、セレクタスイッチ２６が形成されている。当該セレクタスイッチ２６については後述する。
支柱２２は、傘保持板２１の角隅部に配され、当該傘保持板２１を所定の高さで支持するように形成されている。なお、本実施例において支柱２２の高さは四本ともにほぼ同じ高さに形成されているが、これに限定されることなく、例えば、手前側の２本の支柱を奥側の２本の支柱よりも低くして、斜めに設置される傘保持板２１の上面が使用者側に指向するように形成しても良い。
トレイ２３は、支柱２２の基部に配され、支柱２２を間にして傘保持板２１と対向している。トレイ２３は周縁部に側板が立設され、傘１から滴る雨水を集めることができるように形成されている。
傘挿入口２４に傘１を挿入することによって、傘１は立設保持される。
【００３６】
傘挿入口２４は、図５に示すように、当該傘挿入口２４の近傍に報知部２５が形成されている。また、傘挿入口２４の側面の裏面側にはセンサ２７が配されている。
報知部２５は、所定のメロディ、フレーズ、警報音等の音声が出力されるスピーカからなり、当該スピーカは再生する音声を制御する音声制御手段（図示略）に接続されている。音声制御手段が有する記録媒体（図示略）に録音されている複数の音声は、セレクタスイッチ２６によって一の音声が選択されるように形成されている。また、セレクタスイッチ２６は、報知部２５のオン・オフを制御することもできる。
センサ２７は、近接センサ或いは金属センサであって、傘１が傘挿入口２４へ挿入されたとき、当該傘挿入口２４を傘１が通過したことを検知するように形成されている。近接センサの場合には、例えば傘布が傘挿入口２４の側面に接したことを検知するようにし、また、金属センサの場合には、例えば、傘挿入口２４を石突部分が通過したことを検知したり、傘挿入口２４内に傘骨が収まっていることを検知したりすることができる。
センサ２７が傘１の傘挿入口２４への挿入を検知したとき、センサ２７は検知信号を音声制御手段へ送信し、傘１が傘挿入口２４から抜脱されたことを検知したとき、センサ２７は検知否信号を音声制御手段へ送信するように形成されている。音声制御手段は、受信した検知信号又は検知否信号に基づいて、報知部２５のスピーカで所定の音声を再生することを制御するように形成されている。
さらに、センサ２７は、傘挿入口２４内に複数の傘１が挿入されたことを検知したとき、たとえばセンサ２７が傘挿入口２４内に２本の傘骨を検知したとき、警報検知信号を音声制御手段へ送信するように形成しても良い。これによって、傘挿入口２４内に複数の傘が挿入されたことについて警告することができる。そのため、傘立て２０に所定数以上の傘が掛けられることを制限することができる。そして保管する傘１の本数を制限することによって、傘同士が互いに接触して傷がついたり、また無理矢理に傘１が傘挿入口２４へ突っ込まれてしまうことを防止することができる。
【００３７】
上記のように構成される傘立て２０は、以下に示すように使用される。添付した図面にしたがって説明する。
傘立て２０は、玄関等に配置される。トレイ２３を床に配し、支柱２２を取り付けた傘保持板２１をトレイ２３上に配置する。これによって、傘挿入口２４に挿入した傘１から滴る雨水をトレイで受けることができる。
傘挿入口２４に傘１を挿入したとき、センサ２７は傘１が傘挿入口２４へに掛けられたことを検知して、検知信号を音声制御手段に送信する。検知信号を受信した音声制御手段は、当該検知信号に対応する音声信号を報知部２５へ送信する。音声信号を受信した報知部２５は、当該音声信号に基づく音声をスピーカから出力する。これにより、傘挿入口２４に傘１が挿入されていることを報知することができる。そして、傘挿入口２４が使用中であることが報知されることによって、当該傘挿入口２４に複数の傘１が挿入されることを防止することができるので、傘１が破損することを防止することができる。
【００３８】
また、傘挿入口２４から傘１を抜脱したとき、センサ２７は傘１が傘挿入口２４から抜脱されたことを検知して、検知否信号を音声制御手段に送信する。検知否信号を受信した音声制御手段は、報知部２５へ送信している音声信号の出力を停止したり、或いは、検知否信号に対応する音声信号を報知部２５へ送信したりする。報知部２５は、受信する音声信号が停止した場合には、音声の出力を停止し、検知否信号に対応する音声信号を受信した場合には、傘挿入口２４に傘１が挿入されていないことを報知する音声を出力する。これにより、傘挿入口２４が空いていることを報知することができる。
また、傘１の傘挿入口２４への挿抜状況に合わせて、スピーカから発せられる音声が異なるようにした場合、傘１が挿抜状況の変化に伴って変化する音声をもって、傘挿入口２４に確実に傘１が挿入されたか、或いは傘１が抜かれたかについて容易に知ることができる。
【００３９】
本実施例に係る傘立て２０によれば、各傘挿入口２４の近傍にスピーカによる報知部２５を設けた。これにより、傘１を傘挿入口２４へ挿入する度に、様々なメッセージが流れることになるので、雨天時に沈みがちな気分を明るくすることが期待できる。
【実施例４】
【００４０】
次に、本発明の傘立てに係る他の実施例を添付した図面にしたがって説明する。図６は、本実施例に係る傘立ての傘挿入口の近傍を拡大した部分拡大図である。
【００４１】
第４実施例に係る傘立て２０Ａは、第３実施例に係る傘立て２０と報知部２５Ａの構成が相違する。その他の構成は第３実施例の傘立て２０と同様であるから説明を省略する。
【００４２】
傘挿入口２４の近傍に形成されている報知部２５Ａは、所定の発光パターン或いは所定の発光色で発光するＬＥＤからなり、当該ＬＥＤは、当該ＬＥＤの発光を制御する発光制御手段（図示略）に接続されている。傘保持板２１の側面に形成されているセレクタスイッチ２６は、発光制御手段が有する記録媒体（図示略）に記録されている複数の発光パターン或いは発光色のうち、一の発光パターン或いは発光色を選択することができるように形成されている。
なお、本実施例において、報知部２５Ａは、丸ボタン状のＬＥＤで示したが、形状はこれに限定されるものではなく、たとえば、傘挿入口２４の開口部に嵌合されるリング状のＬＥＤとしても良い。リング状のＬＥＤの場合には、より一層傘挿入口２４の空き状況を容易に確認することができる。
【００４３】
傘挿入口２４の側面の裏面側に配されているセンサ２７は、第３実施例と同様に、近接センサ或いは金属センサであって、傘１が傘挿入口２４へ挿入されたとき、当該傘挿入口２４を傘１が通過したことを検知するように形成されている。近接センサの場合には、例えば傘布が傘挿入口２４の側面に接したことを検知するようにし、また、金属センサの場合には、例えば、傘挿入口２４を石突部分が通過したことを検知したり、傘挿入口２４内に傘骨が収まっていることを検知したりすることができる。センサ２７についての説明は第３実施例と同様であるので省略する。
【００４４】
上記の構成を有する傘立て２０Ａは、第３実施例と同様に使用される。
傘挿入口２４に傘１を挿入したとき、センサ２７は傘１が傘挿入口２４へに掛けられたことを検知して、検知信号を発光制御手段に送信する。検知信号を受信した発光制御手段は、当該検知信号に対応する発光信号を報知部２５Ａへ送信する。発光信号を受信した報知部２５Ａは、当該発光信号に基づく音声をスピーカから出力する。これにより、傘挿入口２４に傘１が挿入されていることを報知することができる。そして、傘挿入口２４が使用中であることが報知されることによって、当該傘挿入口２４に複数の傘１が挿入されることを防止することができるので、傘１が破損することを防止することができる。
【００４５】
また、傘挿入口２４から傘１を抜脱したとき、センサ２７は傘１が傘挿入口２４から抜脱されたことを検知して、検知否信号を発光制御手段に送信する。検知否信号を受信した発光制御手段は、報知部２５Ａへ送信している発光信号の出力を停止したり、或いは、検知否信号に対応する遮光信号を報知部２５Ａへ送信したりする。報知部２５Ａは、受信する発光信号が停止した場合には、ＬＥＤの発光を停止し、検知否信号に対応する遮光信号を受信した場合には、傘挿入口２４に傘１が挿入されていないことを報知するようにＬＥＤを発光させる。これにより、傘挿入口２４が空いていることを報知することができる。
また、傘１の傘挿入口２４への挿抜状況に合わせて、ＬＥＤの発光パターン又は発光色が異なるようにした場合、傘１が挿抜状況の変化に伴って変化する光をもって、傘挿入口２４に確実に傘１が挿入されたか、或いは傘１が抜かれたかについて容易に知ることができる。
【００４６】
本実施例に係る傘立て２０Ａによれば、傘立て２０Ａが設置される場所が多少薄暗くても、報知部２５Ａに配したＬＥＤをイルミネーションとして輝かせることができる。そのため、特に雨天時に薄暗くなるような玄関ホールであっても傘立て２０Ａに容易に誘導することができる。
【実施例５】
【００４７】
次に、本発明の傘立てに係る他の実施例を添付した図面にしたがって説明する。図７は、本実施例に係る傘立てを示した斜視図である。
【００４８】
傘立て２０Ｂは、第３実施例若しくは第４実施例に記載の傘立て２０，２０Ａとトレイ２３Ａに係る構成が相違する。他の構成は第３実施例若しくは第４実施例に記載の傘立て２０，２０Ａと同様であるので説明を省略する。
【００４９】
トレイ２３Ａは、カバー２８とアンダートレイ２９とからなり、当該カバーとアンダートレイ２９との間には複数のセンサ３０が挟まれている。
カバー２８は、防水性を有する合成樹脂又はゴムからなり、溝２８ａを切ることによって、区画形成されている。そして、各区画はその上方にある傘挿入口２４と対向するように形成されている。これにより、傘挿入口２４に挿入された傘１の石突は、傘１を奥まで差し込んだとき、カバー２８の対向する区画に接する。
また、溝２８ａは、傘１から滴る水をアンダートレイ２９へ導水するように形成されている。
アンダートレイ２９は、カバー２８とセンサ３０とがズレないように、カバー２８と重ね合わされると共に、溝２８ａを伝って導水された水がセンサ３０に触れないような構造に形成されている。これにより、センサ３０は、簡単な防水処理を施すだけで使用することができるので、コストを抑えることができる。
【００５０】
センサ３０は、感圧センサであって、傘１の石突がカバー２８を押圧したとき、カバー２８の歪みを検知するように形成されている。
センサ３０は、傘１の石突がカバー２８を押圧したとき、検知信号を第３実施例に記載の音声制御手段又は第４実施例に記載の発光制御手段へ送信し、傘１の石突がカバー２８から離れたとき、検知否信号を音声制御手段又は発光制御手段へ送信するように形成されている。検知信号又は検知否信号が音声制御手段に送信されたときの報知部の動作は第３実施例と、検知信号又は検知否信号が音声制御手段に送信されたときの報知部の動作は第４実施例と、それぞれ同様であるので説明を省略する。
【００５１】
さらに、センサ３０は、図７に示すように、当該センサ３０の検知エリアで２か所以上の押圧を検知したとき、警報検知信号を発光制御手段へ送信するように形成しても良い。これによって、傘挿入口に複数の傘が差し込まれたこと、或いは傘１が斜めに差し込まれていることについて警告することができる。そのため、傘立て２０Ｂに所定数以上の傘１が差し込まれることを制限し、傘１が乱雑に差し込まれることを防ぐことができる。そして保管する傘１の本数を制限することによって、傘１同士が互いに接触して傷がついたり、またブラケット１３から押し出された傘１が落下したりすることを防止することができる。
また、本実施例において、センサ３０から発せられた検知信号は、傘保持板２１に設けられた報知部２５に送信されるように構成したがこれに限定されるものではなく、たとえば、センサ３０の近傍に報知部を設けて、カバー２８の各区画に設けたＬＥＤが光るようにしても良い。
また、センサ３０に代えて、押圧によってスイッチが入るブザーを用いて、カバー２８とアンダートレイ２９の間にスイッチを配して、傘１の石突がカバー２８を押圧したとき、ブザーが鳴るようにしても良い。
【００５２】
上記のように構成される傘立て２０Ｂは、第３実施例又は第４実施例と同様に使用されるので、説明を省略する。
傘１の石突がカバー２８を押圧したとき、傘立て２０Ｂが有する報知部２５（２５Ａ）は、スピーカから音声を出力したり、ＬＥＤを発光させたりして、傘１が傘挿入口２４へ挿入されていることを報知する。これにより、傘挿入口２４が使用されていることが報知される。
【００５３】
本実施例に係る傘立て２０Ｂによれば、カバー２８とアンダートレイ２９との間にセンサ３０を挟む簡単な構造としたことにより、製造コストを抑えることができる。また、アンダートレイ２９に重ね合わされているカバー２８は、容易に取り外して洗うことができるので、カバー２８を清潔に保つことができる。
【００５４】
本実施例に係る傘掛け１０，１０Ａ、又は傘立て２０，２０Ａ，２０Ｂによれば、傘１を保管する際に、傘掛け１０，１０Ａではブラケット１３によって、傘立て２０，２０Ａ，２０Ｂでは傘挿入口２４によって、保管する傘の本数に制限を設けるようにした。これにより、保管可能な本数を超えて傘１が無理矢理ロッド１１上に掛けられたり、傘挿入口２４に挿入されたりすることを防止することができる。そのため、傘１が互いに接触して汚れたり壊れたりしてしまうことを防止することができる。
そして、報知部が有するスピーカによって音で、或いはＬＥＤによって光で傘１がブラケット１３又は傘挿入口２４が使用中であるか否かを報知するようにした。これによってもまた、傘１が無理矢理ロッド１１上に掛けられたり、傘挿入口２４に挿入されたりすることを防止することができる。そのため、傘１が互いに接触して汚れたり壊れたりしてしまうことを防止することができる。
さらに、再生される音楽、或いは光の発光パターン又は発光色によって、雨天時に沈みがちな気分を明るくすることができる効果が期待できる。
【符号の説明】
【００５５】
１０，１０Ａ…傘掛け、１１…ロッド、１２…取付部、１３…ブラケット、１４…鞍部、１５…クリップ、１６，１６Ａ…報知部、１６ａ…セレクタスイッチ、１７…センサ。
２０，２０Ａ，２０Ｂ…傘立て、２１…傘保持板、２２…支柱、２３，２３Ａ…トレイ、２４…傘挿入口、２５，２５Ａ…報知部、２６…セレクタスイッチ、２７、３０…センサ、２８…カバー、２８ａ…溝、２９…アンダートレイ。
１…傘
【図１】
2014076225.tif 000003
【図２】
2014076225.tif 000004
【図３】
2014076225.tif 000005
【図４】
2014076225.tif 000006
【図５】
2014076225.tif 000007
【図６】
2014076225.tif 000008
【図７】
2014076225.tif 000009